(57)【要約】【課題】業務用オープン型冷蔵（冷凍）ショウケースの商品演出に使用される光源を省電力化して省エネルギー化を図ることと、商品販売促進のための機能付加を実現する。【解決手段】オープン型冷蔵ショウケースの天蓋部分に追加設置式（後付け方式）のＬＥＤ照明機器付き什器を設置し、ショウケースに付属している蛍光灯に代わる省電力の商品演出を実行する。あらゆる既設オープン型冷蔵ショウケースの天蓋および天板（設置箇所）に対応するよう、柔軟なベルト状の設置固定器具を使用する。また、追加設置式ＬＥＤ照明機器付き什器の防眩用パネルの前面スペースを有効利用し、画像表示や映像表示機能を持つ装置を装着し、商品の販売促進手段とする。【選択図】図１
2011224316.tif 000002
【特許請求の範囲】
【請求項１】
オープン型冷蔵ショウケース天蓋部分に追加設置式ＬＥＤ照明機器付き什器を取付ける際に、天蓋部分および天板のあらゆる形状、状態に対応できる柔軟なベルト状部材を有した固定器具。
【請求項２】
請求項１の固定器具とともに追加設置式ＬＥＤ照明機器付き什器をオープン型冷蔵ショウケース天蓋部分に安定させる固定具および照明機器に付帯する部材の形状と機能。
【請求項３】
請求項１の追加設置式ＬＥＤ照明機器付き什器の部材である前面パネルに付加される表示や映像機器などの機能および装置。
【発明の詳細な説明】
【技術分野】
【０００１】  本発明は、省電力を目的とした、業務用オープン型冷蔵ショウケース（縦型冷凍ケースを含む）に追加設置するＬＥＤ照明機器付き什器の設置方法および表示機器の装着による機能付加に関するものである。
【背景技術】
【０００２】  スーパーマーケットなどに設置されているオープン型冷蔵ショウケースには従来、蛍光灯が付属設備されていた。省エネルギーの観点から、この代替光源としてＬＥＤ照明機器付きの什器を後付け式の形態として設置する。このＬＥＤ照明機器付き什器をさまざまなオープン型冷蔵ショウケースの天蓋部分に設置するために、安全で汎用性の高い設置方法を考案した。オープン型冷蔵ショウケースは、形状が多数あることと固定対象となる天板に変形などの状態変化があり、柔軟な設置器具が求められる。【０００３】  設置対象となるオープン型冷蔵ショウケースの天蓋部分の、あらゆる形状、サイズ、天板の状況（ゆがみ、へこみなど）に対応する、柔軟で汎用性の高いＬＥＤ照明機器付き什器の設置（固定）器具を考案した。業務用であり、お客様の手に触れる位置に設置されるため、高い安全性、耐久性も求められる。同時に、設置位置の移動にも対応するよう脱着の容易な方法についても考慮した。
具体的には、柔軟性があり伸びなどの変化が少ない化学繊維系などのベルト状の設置器具の構造と設置方式に関するものとなる。【０００４】  省資源の観点から、部材ごとに交換が可能であること、付加する機能によって耐用荷重の変化に対応することをふまえ、設置器具の各部品は分離が可能な脱着式（アタッチメント式）とすることができる。【０００５】  本件のＬＥＤ照明機器付き什器に、とくに前面のパネル部分を有効活用して機能付加を行う。使用者の顧客である消費者（来店者）の視野のちょうど適当な位置にあるため、顧客とのコミニュケーションツールとして活用することで、使用者の利益となるほか、災害時の誘導ツールとして安全面で有益な機能ともなる。
これら付加機能の重量や付加時のバランスにより、固定具にも増強が行えるよう、各固定部品および機能装置（通信、懸架、表示、音響など）に関しても、追加・交換が容易な構造とする。
【先行技術文献】
【特許文献】
【０００６】
【特許文献１】特開２００８−１３１９７１号公報
【特許文献２】特開２００８−２６４３９９号公報
【非特許文献】
【０００７】該当無し
【発明の概要】
【発明が解決しようとする課題】
【０００８】  解決しようとする問題点は、追加設置方式のＬＥＤ照明機器付き什器を設置する際、対象となるオープン型冷蔵ショウケースの設置箇所である天板部の形状、状態に著しく違いがある点である。
【課題を解決するための手段】
【０００９】  本発明は、固定具を柔軟かつ強靭な形状・構造とすることであらゆるオープン型冷蔵ショウケースに追加設置式ＬＥＤ照明機器付き什器を設置することを可能とすることを最も主要な特徴とする。
【発明の効果】
【００１０】  本発明の固定具は、柔軟かつ強靭なベルト状の固定具が設置対象の天板部がいかなる形状・状態であっても強力かつ安全に追加設置器具を固定できるという利点がある。
【図面の簡単な説明】
【００１１】
【図１】図１は追加設置式ＬＥＤ照明機器付き什器がオープン型冷蔵ショウケースに設置された状態および設置方法を示した説明図である。（実施例１）
【図２】図２は追加設置式ＬＥＤ照明機器付き什器の固定具の付属状態を示した説明図である。
【図３】図３は固定具のうち、本発明の中心となるベルト状設置器具の構造を説明した図である。
【図４】図４は追加設置式ＬＥＤ照明機器付き什器の前面パネルに付加機能を設置する場合の事例を示した説明図である。
【発明を実施するための形態】
【００１２】追加設置（後付け）式ＬＥＤ照明機器付き什器は、ＬＥＤを光源とし、業務用オープン型冷蔵ショウケースの天蓋部分に設置される装置である。その設置には、ショウケース天蓋部分の前面パネル部に固定具を懸架または接続したうえで天板にベルト状の柔軟な固定具を用いて固定する。
【００１３】追加設置式ＬＥＤ照明機器付き什器をオープン型冷蔵ショウケース天板部分に設置（固定）する器具に柔軟なベルト状の部材を用いることにより、設置対象であるショウケースの天板やキャノピー（庇）部分の形状や状態のばらつきに対応し、あらゆる冷蔵ショウケースへの設置を少ない部材ラインアップで対応できることになる。
省資源をテーマにした技術であることから、これら設置部品など対応器材の在庫を絞り込めることは大きな意味を持つ。
【実施例１】
【００１４】設置対象であるオープン型冷蔵ショウケースの天蓋部分の前面キャノピー（庇）部に防眩用の前面パネルを沿わせる形で追加設置式ＬＥＤ照明機器付き什器を設置する。（図１ｂ）
固定対象となるショウケースの天板部分に密着し安定するよう、柔軟なベルト状の固定具を使用する。（図１ａ）
【発明の詳細】
【００１５】ＬＥＤ照明機器は、低電力で稼働し、長寿命であることから、エネルギー消費、廃棄にまつわる環境問題などに対応する社会貢献要素の大きい技術である。現在多くの食料品販売に用いられているオープン型冷蔵ショウケース（縦型冷凍ショウケースを含む）が蛍光灯設置型であることに対して、これをＬＥＤ照明機器に改修することで大きな環境対策が図れるものと考え、しかしまた既設の電気機器に改造を行わず導入できる方法として、追加設置型（後付け型）のＬＥＤ照明機器付き什器を開発した。（図１参照）
【００１６】オープン型冷蔵ショウケースの構造から当該ＬＥＤ照明機器付き什器の設置箇所は天蓋部分の張り出し箇所（キャノピー部）が最も適していると考えられるが、形状にさまざまなバリエーションがあること、固定具を装備するオープン型冷蔵ショウケースの天面の形状および状態にもばらつきがあることから、柔軟で汎用性のある固定方法が必要となる。（図２参照）
【００１７】当該ＬＥＤ照明機器付き什器を設置する箇所は、来店客も手が届く位置であることから、脱落事故の危険を回避する安全な構造・仕様が求められる。
【００１８】当該ＬＥＤ照明機器付き什器は追加設置機器であることから、修理などの目的でオープン型冷蔵ショウケースから容易に脱着できることが求められる。
【００１９】以上のような与件から、当該設置器具には、柔軟なベルト状の設置部材が接続されている。当該ベルト状設置部材は２本以上のベルトを設置対象となるオープン型冷蔵ショウケースに沿わせて固定する。柔軟な形態とすることで設置対象の形状に起伏や凹凸があっても、自由に設置、脱着ができる。
当該ベルト状設置部材は、照明機器の重量を保持するため、長さ３００ｍｍ以上、幅３０ｍｍ以上、厚み１ｍｍ以上であることが望ましいと考えられるが、その素材特性などにより仕様はこの限りではない。（図２参照）
【００２０】当該ベルト状設置部材はＬＥＤ照明機器付き什器の固定状態を安定させるため２本以上の部材を使うことが望ましいと考えられるが、２本以上の部材が接合されることにより一体となっていてもよい。したがってネット状、カバー状などの一体型となっている場合もある。この場合、前項に記載のサイズおよび仕様は大きく変わる場合がある。
【００２１】当該ベルト状設置部材には、天然素材および合成素材による織布、樹脂素材の成形物、化学生成物のフィルムおよびその積層体、金属繊維を撚り合わせたもの、石材・木材・油脂などを凝固させたものなど、柔軟性があり、経年による伸縮が少ないものを用いる。
当該ベルト状設置部材には、上記の素材を単体または複合して用いることができる。
【００２２】当該ベルト状設置部材に使用されるベルトは、上記の素材片を接着または縫合して成形することができる。また、型枠成形によるものであってもよい。
【００２３】当該ベルト状設置部材のベルト原反は、短冊状であっても幅広のシート状のものを折り畳んだものであってもよい。
【００２４】当該ベルト状設置部材には、樹脂、油脂などの塗布材により表面をコーティングしてもよい。
【００２５】当該ベルト状設置部材をＬＥＤ照明機器付き什器本体に取付ける場合には、ネジ留め、接着、圧着、金具や樹脂製アタッチメントによる固着などの方法を用いる。
【００２６】当該ベルト状設置部材は、その一部がＬＥＤ照明機器付き什器本体と一体型になっていてもよいし、脱着できるよう分離できてもよい。
【００２７】当該ベルト状設置部材は、複数のベルトまたは器具を連結して使うことができるものであってもよい。
【００２８】当該ベルト状設置部材は、金属・木材・石材・陶器・磁器・樹脂・油脂などの固形物による補助具を付帯してもよい。
【００２９】当該ベルト状設置部材の設置対象であるオープン冷蔵ショウケースの天板への取付けには、磁石（図３ｂ）、吸盤（図３ｃ）、組み合わせ金具（図３ｄ）、ネジ、ビスなどの固定手段を用いる。これらの固定手段をベルト部またはベルトに接合された固定器に取付ける。（図３）
【００３０】当該ベルト状設置部材に取付けられた設置対象への固定器は、磁石、吸盤、組み合わせ金具、ネジ、ビスなどの固定手段を複数組み合わせて使用してもよい。
【００３１】当該ベルト状設置部材の設置対象への接合部分とＬＥＤ照明機器付き什器への接合部分とは、いずれか一方または両方ともが脱着できるように分離可能な構成とすると、資材の節約（リユース）の観点からも好ましい。
【００３２】ＬＥＤ照明機器付き什器の（防眩用）前面パネルは、照明機器を取付ける基盤であり什器の基礎材となる部分であるが、什器全体の軽量化や機能の付加などの目的のため、構造の一部を脱着および装備変更が可能な仕様とすることができる。（図４）
【００３３】軽量化を目的とした仕様としては、前面パネルの素材にはアルミ、チタンなどの金属、セラミックおよび樹脂、紙製品、木材などの軽量素材を全面および一部に貼付けたり、枠状にして布、フィルム、紙などのシート状のものを貼付けるなどの仕様とすることができる。
【００３４】軽量化を目的とした仕様としては、前面パネルの一部を切除したり、穿孔したり、全体を網状にデザインしたりすることができる。
【００３５】機能の付加を目的とした仕様としては、前面パネルを２枚以上の合わせ構造とし、その間に表示物を挟み込み、画像や文字などの情報を掲示できるようにすることができる。（図４ｂ）
【００３６】機能の付加を目的とした仕様としては、前面パネルに直接または追加機器として装着する方法で画像、映像、音声などを発生させる機器やタッチパネル、センサーなどの機器を実装することができる。（図４ｃ）
【００３７】機能の付加を目的とした仕様としては、前面パネルおよびＬＥＤ照明機器付き什器の一部に通信機器、コンピュータ機器および回路、発光体、表示機器、センサー機器などの機器を取付けることができる。
【００３８】機能の付加を目的とした仕様としては、前面パネルを液晶画面などの表示媒体として利用できる機能装置と一体化させることができる。（図４ｄ）
【００３９】映像や文字を表示できる機能装置を装着した前面パネルは、地震や火災などの非常時に店内売り場にいる来店客を避難誘導する災害対策装置として活用することもできる。
【００４０】前面パネルには、ベルト状の設置器具のほかに、オープン型冷蔵ショウケースに適正な設置状態を保つための専用取付け器具を付属している。取付け器具に求められる機能としては、オープン型冷蔵ショウケースの天蓋部分の前面と追加設置ＬＥＤ照明機器付き什器との適正な設置状態の保持と固定の補助である。
そのため、適正な硬度を持った素材を用い、ＬＥＤ照明機器付き什器および付帯機能設備の重量を支える耐荷重を有するものとする。
【００４１】前面パネルに付属する取付け器具には、Ｌ字型金具、かぎ爪、Ｕ字型フック、クリップ、締め付けセット器具、ロック付き器具などの形状・仕組みが採用できる。（図１ａ−１、２、３）
【００４２】前面パネルに付属する取付け器具には、金属、樹脂成形物、セラミックス、硬質プラスチックなど硬度の高いものを使うことが望ましい。
【００４３】前面パネルに付属する取付け器具には、設置される冷蔵ショウケースの天蓋部分に密着し且つその表面を傷つけないよう、ゴム、樹脂、布、皮革、ジェル状の固形物などをクッション材として付属する。
【００４４】前面パネルに付属する取付け器具には、ベルト状の設置部材が取付けられていてもよい。
【図１】
2011224316.tif 000003
【図２】
2011224316.tif 000004
【図３】
2011224316.tif 000005
【図４】
2011224316.tif 000006